(57)【要約】【課題】嵩張らず、洗剤が変質し難く、衣類の種類及び数量に応じて洗剤の量と種類を効果的にコントロールすることができる、溶解可能な洗剤用パッケージ材を提供すること。【解決手段】水溶性高分子化合物材質で形成された水溶性ゲル１０と、水溶性材質で形成され、内部に少なくとも１つの中空部が設けられ、中空部に１種類または多種類の定量の洗剤が充填された複数の水溶性マイクロカプセル２０とを含み、水溶性ゲル１０が水溶性マイクロカプセル２０を被覆している。【選択図】図１
0003194523.tif 000002
【実用新案登録請求の範囲】
【請求項１】
溶解可能な洗剤用パッケージ材であって、
水溶性高分子化合物材質で形成された水溶性ゲルと、
水溶性材質で形成され、内部に少なくとも１つの中空部が設けられ、前記中空部に１種類または多種類の定量の洗剤が充填された複数の水溶性マイクロカプセルと、
を含み、前記水溶性ゲルが前記水溶性マイクロカプセルを被覆することを特徴とする、溶解可能な洗剤用パッケージ材。
【請求項２】
前記水溶性ゲルが互いに大きさの異なる複数の単位で設けられ、単位ごとに前記水溶性ゲル内の洗剤の容量が異なることを特徴とする、請求項１に記載の溶解可能な洗剤用パッケージ材。
【請求項３】
前記水溶性ゲルがポリビニルアルコールで形成されたことを特徴とする、請求項１に記載の溶解可能な洗剤用パッケージ材。
【請求項４】
前記水溶性ゲルがゲル状であることを特徴とする、請求項１に記載の溶解可能な洗剤用パッケージ材。
【考案の詳細な説明】
【技術分野】
【０００１】
本考案は、手軽で便利に洗剤量を加減できる環境に配慮した溶解可能な洗剤用パッケージ材に関する。
【背景技術】
【０００２】
衣類は生活の中で最も身近な物品であり、毎日体と長時間にわたって接触する第二の皮膚のように重要な存在であるが、どのような材質の衣類でも着用した後には大量の細菌が発生し、かつ衣類の各部位に異なる程度の汚れが付着するため、いかに迅速かつきれいに衣類を洗濯するかは重要な知識である。
衣類用洗剤（粉）は衣類の洗濯過程で重要な役割を果たしている。衣類用洗剤中の最も重要な成分が表面活性剤であり、その主な目的は、水の表面張力をなくし、衣類上の汚れを取り除き、汚れを徹底的に分解して衣類を洗浄することにある。
【０００３】
市販の衣類用洗剤（粉）は、粉状であるか液体状であるかを問わず、ほとんどが包装箱（袋）等の容器で包装されている。また、包装の内部に計量カップやスプーンが付属しており、使用時に洗濯物の量に応じてカップまたはスプーンで一定量の衣類用洗剤（粉）を取る必要がある。
しかしながら、この方法は往々にして洗剤用量が多すぎてしまい、環境汚染および水源の重大な富栄養化等の環境問題を引き起こすほか、洗剤が常に空気に晒され、湿気を受けて固まり状になり、変質してしまい、多くの無駄につながりやすい。
【考案の概要】
【考案が解決しようとする課題】
【０００４】
本考案が解決しようとする課題は、上述の問題を解決し、嵩張らず、洗剤が変質し難く、衣類の種類及び数量に応じて洗剤の量と種類を効果的にコントロールすることができる、溶解可能な洗剤用パッケージ材を提供することにある。
【課題を解決するための手段】
【０００５】
本考案の溶解可能な洗剤用パッケージ材は、水溶性高分子化合物材質で形成された水溶性ゲルと、水溶性材質で形成され、内部に少なくとも１つの中空部が設けられ、前記中空部に１種類または多種類の定量の洗剤が充填された複数の水溶性マイクロカプセルとを含み、前記水溶性ゲルが前記水溶性マイクロカプセルを被覆している。
前記水溶性ゲルは互いに大きさの異なる複数の単位で設けられ、単位ごとに前記水溶性ゲル内の洗剤の容量が異なるのが望ましい。
前記水溶性ゲルは、良好な造膜性と優れた接着力、耐溶剤性、耐摩擦性を備え、水溶性に優れ、残留しにくいポリビニルアルコールで形成するとよい。
【考案の効果】
【０００６】
本考案によれば、嵩張るプラスチック容器等に洗剤を収納しなくても、洗剤が変質する心配はなく、しかも、水溶性ゲル及び水溶性マイクロカプセルは洗濯の過程で水に溶けて、十分な洗浄効果があり、水溶性ゲルで被覆された単位の数や大きさを調整することにより、使用する洗剤の量を効果的にコントロールできる。
【図面の簡単な説明】
【０００７】
【図１】本考案の実施例を示す溶解可能な洗剤用パッケージ材の要部拡大図である。
【図２】本考案の実施例に係る水溶性マイクロカプセルの断面図である。
【考案を実施するための形態】
【０００８】
以下、本考案の実施例を図面に基づいて詳細に説明する。
本考案の溶解可能な洗剤用パッケージ材は、図１、図２に示すように、水溶性ゲル１０及び複数の水溶性マイクロカプセル２０を含む。
水溶性ゲル１０は水溶性マイクロカプセル２０をその内部に被覆するために用いられ、水溶性マイクロカプセル２０が水溶性ゲル１０の各所に平均的に分布される。
【０００９】
水溶性ゲル１０はゲル状とするのが好ましく、本実施例において、水溶性ゲル１０はポリビニルアルコール（Ｐｏｌｙｖｉｎｙｌ  Ａｌｃｏｈｏｌ、略称Ｐ．Ｖ．Ａ）等の水溶性材質で構成される。ポリビニルアルコールは水溶性高分子化合物であり、良好な造膜性と優れた接着力、耐溶剤性、耐摩擦性を備えており、且つ水溶性に優れ、残留しにくい。
この材質の特性を利用して水溶性マイクロカプセル２０のパッケージ材料とすることで、包装と運送に便利であるだけでなく、その内部に保持される水溶性マイクロカプセル２０の完全性を保ち、破裂を生じない。
但し、水溶性ゲルの材質は上述したポリビニルアルコールのみに限定されず、基本的に、水溶性マイクロカプセルを円滑に被覆でき、且つ水溶性に優れ、残留せず、環境を汚染しない材質、或いは上述の３つの特性を備えた複合性材質であれば、いずれも水溶性ゲルの材質とすることができる。
【００１０】
水溶性マイクロカプセル２０は中空部２１１を備え、中空部２１１に少なくとも１種類の定量の洗剤２２が充填される。洗剤２２の成分は特に限定せず、必要に応じて決めることができ、例えば、酵素洗剤、漂白洗剤または芳香洗剤等とすることができる。
また、各水溶性ゲル１０内の水溶性マイクロカプセル２０の中空部２１１には同時に異なる洗剤２２の成分を充填する（単一の中空部２１１内に同時に充填する）こともでき、必要に応じて必要な割合を決定することができる。
さらに、各水溶性マイクロカプセル２０の中空部２１１に充填する単一の洗剤２２の種類に基づき、第１水溶性マイクロカプセル、第２水溶性マイクロカプセル等に区分することもでき（図示しない）、多機能の洗浄効果を達成することができる。
【００１１】
水溶性ゲル１０は、長さ、幅により構成される面積の違いに基づいて異なる大きさの単位に分けられ、各単位の水溶性ゲル１０ごとに異なる数の水溶性マイクロカプセル２０が被覆され、各水溶性マイクロカプセル２０の中空部２１１にはいずれも定量（同じ剤量）の洗剤２２が充填されているため、使用者は水溶性ゲル１０の大きさを選択するだけで、洗剤の剤量をコントロールすることができる。
基本的に、各水溶性ゲル１０で被覆される水溶性マイクロカプセル２０の数量は１〜２（または２〜３）枚の衣類を洗濯できる数量に制御することが好ましく、使用者が洗剤２２の剤量をコントロールしやすくして、剤量が多すぎたり、剤量が少なすぎたりする問題を回避できるようにする。
このほか、水溶性ゲル１０には異なる色または形状を採用して、水溶性マイクロカプセル２０の中空部２１１に充填された洗剤２２の種類を識別できるようにしてもよい。
【００１２】
水溶性マイクロカプセル２０の中空部２１１内に充填される洗剤２２は、濃縮酵素洗剤とすることができる。濃縮酵素洗剤は衣類に付着したタンパク質を効果的に分解でき、かつ天然原料を使用して製造されており、洗濯水を大自然に排出しても、自然の力で分解・吸収することができ、生態に影響を生じない。
天然で環境にやさしい洗剤２２の成分を濃縮して水溶性マイクロカプセル２０で被覆することにより、少量でも効果的に衣類をきれいにすることができる。
【００１３】
本実施例の溶解可能な洗剤用パッケージ材は、前述の従来技術と比較して、次のような利点がある。
１、洗濯する衣類の種類と数量に応じて洗剤量を簡単にコントロールすることができる。
２、使用者は洗濯時に衣類の種類とその大きさに基づき、対応する色の水溶性ゲルを選択でき、洗濯時により便利に洗剤を選択することができる。
【００１４】
以上は、本考案の実施例の説明であって、本考案の権利範囲を限定するものではなく、数値の変更や同等の機能を有する部材への置き換えはいずれも本考案の権利範囲に含まれる。
【符号の説明】
【００１５】
１０      水溶性ゲル
２０      水溶性マイクロカプセル
２１１    中空部
２２      洗剤
【図２】
0003194523.tif 000003
【図１】
0003194523.tif 000004